(57)【要約】【課題】  ビルディングや家屋の解体現場において、人手によることなく高所から、或いは目標位置に散水ノズルを接近させて散水する。【解決手段】固定スタンド５より固定された固定パイプ４内に、固定パイプ４の長手方向に移動する延長パイプ３を設け、その先端に散水ノズル２を設ける。  散水装置９から固定パイプ４に加圧された水を供給すると、その水勢(水圧)に対応して延長パイプ３が固定パイプ４内を押し上げられ、固定パイプ４が延長パイプ３の長さ分に応じて延長されるようになる。この結果、高所に位置決めされた散水ノズル２から目標位置に向けて散水される。【選択図】        図１
2005248463.tif 000002
【特許請求の範囲】
【請求項１】
構造物の解体現場に散水して塵埃発生を抑えるための解体構造物用散水装置において、
水を加圧して給水する加圧ポンプを設けた散水機と、
加圧された水を流通せしめる固定パイプと、
前記固定パイプに連通し、前記加圧された水を流通せしめるとともに、前記加圧された水の水圧に対応して前記固定パイプの長手方向に沿って伸長変形する延長パイプと、
前記延長パイプに設けられて、前記加圧された水を散水する散水ノズルと、
前記加圧された水の加圧を停止したとき、加圧された水の逆流を阻止して前記延長パイプを移動位置に停止させる逆止弁と、
前記加圧された水を前記固定パイプから排水することにより、前記延長パイプを前記固定パイプ内の所定位置に復動、或いは元の形状に復帰させる戻しバルブとを備えたことを特徴とする解体構造物用散水装置。
【請求項２】
前記固定パイプ及び前記延長パイプを同一半径の円弧状に形成し、前記加圧された水の降圧に伴い前記固定パイプ内に前記延長パイプを収容し、前記加圧された水の供給時に水圧に対応して前記固定パイプ内から散水方向に押し出して延長することを特徴とする請求項1記載の解体構造物用散水装置。
【請求項３】
前記延長パイプを軟性材により構成し、前記加圧された水の水圧に対応して筒状に変形させることにより、前記固定パイプ及び延長パイプの全体長を延長することを特徴とする請求項１記載の解体構造物用散水装置。
【請求項４】
前記散水ノズルは、前記延長パイプから一方向または複数方向に散水する噴出孔を設けたものであることを特徴とする請求項１記載の解体構造物用散水装置。
【請求項５】
前記固定スタンドは、前記固定パイプを直立状または角度調整機構により所望角度に保持し得るものであることを特徴とする請求項１記載の解体構造物用散水装置。
【請求項６】
前記延長パイプを所望数接続してパイプの全長を調節したことを特徴とする請求項１記載の解体構造物用散水装置。
【発明の詳細な説明】
【技術分野】
【０００１】
本発明は、例えばビルディングや家屋の解体現場において、散水により土埃やアスベスト等の有害な粉塵の気中への拡散を防止する際に用いて好適な解体構造物用散水装置に関するものである。
【背景技術】
【０００２】
ビルディングの解体現場はもとより、一般家屋の解体現場においても、コンクリートの破砕片や長年に亘って蓄積された塵埃、更にアスベスト等の有害な物質が広範囲に亘って撒き散らされる。これらの塵埃は、作業員にとって有害であるうえに、視界が妨げられることにより作業時の危険性が増加し、工事遅れの一因にもなる。
【発明の開示】
【発明が解決しようとする課題】
【０００３】
そこで従来は、工事現場において作業員が散水し、塵埃の気中への拡散を防止するようにしていた。しかし、作業員が散水ホースを持って解体現場内に入り、出来るだけ解体位置に近づいて散水する方法であるから、作業員にとって甚だ危険であった。
従って、高い位置に散水する場合、或いは高い位置から低い位置に向けて散水しようとすれば、作業員自身が高所に上らねばならず、場合によっては不安定な足場の上から長時間に亘って解体現場に向けて散水することもあった。
即ち、従来の散水方法は、人手によらなければ高さに応じた散水ができず、塵埃発生を確実に防止するためには作業員が危険な解体現場に近づくしかなかった。
【０００４】
本発明は、前記問題点に鑑みてなされたものであり、その目的は、散水を必要とする位置に向けて設置した後は、人手に依ることなく散水継続、一時停止、散水停止を行うことにより、塵埃の発生防止、作業員の危険回避、解体作業の効率向上を図り得る解体構造物用散水装置を提供することにある。
【課題を解決するための手段】
【０００５】
本発明の目的は、下記構成により達成される。
構造物の解体現場に散水して塵埃発生を抑えるための解体構造物用散水装置において、
水を加圧して給水する加圧ポンプを設けた散水機と、
加圧された水を流通せしめる固定パイプと、
前記固定パイプに連通し、前記加圧された水を流通せしめるとともに、前記加圧された水の水圧に対応して前記固定パイプの長手方向に沿って伸長変形する延長パイプと、
前記延長パイプに設けられて、前記加圧された水を散水する散水ノズルと、
前記加圧された水の加圧を停止したとき、加圧された水の逆流を阻止して前記延長パイプを移動位置に停止させる逆止弁と、
前記加圧された水を前記固定パイプから排水することにより、前記延長パイプを前記固定パイプ内の所定位置に復動、或いは元の形状に復帰させる戻しバルブとを備えたことを特徴とする解体構造物用散水装置。
【０００６】
前記構成の解体構造物用散水装置により散水する場合、固定パイプと延長パイプとを接続した状態で、固定スタンドを用いて工事現場に立てる。そして、散水装置により加圧された水を固定パイプに供給すると、その水圧により延長パイプが固定パイプを伸長するように延長し、散水ノズルを高所に位置決めする。次いでその先端に設けた散水ノズルから例えばコンクリートの破砕位置等に向けて散水し、塵埃の拡散、気中への舞い上がりを防止する。
【０００７】
前記解体構造物用散水装置は、前記固定パイプ及び前記延長パイプを同一半径の円弧状に形成し、前記加圧された水の降圧に伴い前記固定パイプ内に前記延長パイプを収容し、前記加圧された水の供給時に水圧に対応して前記固定パイプ内から散水方向に押し出して延長することを特徴としている。
【０００８】
この構成によれば、固定パイプに散水装置から加圧された水を供給することにより、延長パイプが固定パイプの先端から円弧状に伸長する。従って、伸長方向をコンクリート等の破砕方向に向けて設置しておけば、散水ノズルがコンクリート等の破砕位置に接近して散水するようになる。
【０００９】
前記解体構造物用散水装置は、前記延長パイプを例えば消防ホース等の布材、更に薄い軟性合成樹脂等の軟性材により構成し、前記加圧された水の水圧に対応して筒状に変形させることにより、前記固定パイプ及び延長パイプの全体長を延長させることを特徴としている。
【００１０】
この構成によれば、固定パイプに加圧された水を供給することにより前記同様に散水できる上に、不使用時には延長パイプが固定パイプの先端から垂れ下がるようになり、構造の簡略化、材料費の低減等を図り得る。
【００１１】
前記解体構造物用散水装置は、前記散水ノズルについて、前記延長パイプから一方向または複数方向に散水する噴出孔を設けたものであることを特徴としている。また、前記延長パイプを所望数接続してパイプの全長を調節したことを特徴としている。
【００１２】
この構成によれば、解体工事現場の一箇所、或いは複数箇所、更に広い範囲に亘って拡散状態で散水させることができる。
【００１３】
前記解体構造物用散水装置における前記固定装置は、前記固定パイプを直立状または角度調整機構により所望角度に保持し得るものであることを特徴とする。
【００１４】
この構成によれば、前記固定パイプと前記延長パイプとを直立状に伸長させ、高所から散水することができる上に、傾斜させて離れた位置から解体箇所の近傍に散水させることもできる。
【発明の効果】
【００１５】
以上に説明したように、本発明によれば、構造物の解体現場内に解体構造物用散水装置を設置すれば、散水装置から加圧された水を供給するだけで、高所から、或いは解体作業の近傍に確実に散水することができる。
従って、作業員が散水ホースを保持して長時間に亘って危険な解体現場に入り込む必要がなく、作業員の安全、作業効率向上を図ることができる。
【発明を実施するための最良の形態】
【００１６】
以下、本発明に係る実施形態を図面に基づいて詳細に説明する。図１は本発明の第１実施形態である解体構造物用散水装置の構成を示す側面図、図２は固定パイプと延長パイプの構造を示す断面図、図３〜図６は固定スタンドの各実施形態を示す斜視図、図７及び図８は散水ノズルの各実施形態を示す斜視図、図９は本発明の第２実施形態を示す解体構成物用散水装置の側面図、図１０は固定パイプと延長パイプの構造を示す断面図である。
【００１７】
図１に示すように、本実施形態における解体構造物用散水装置１（以下、単に散水装置と略称する）は、先端部に散水ノズル２を設けた延長パイプ３と、延長パイプ３を長手方向に移動自在に支持する固定パイプ４と、固定パイプ４を直立状に保持する三脚状の固定スタンド５と、固定スタンド５の下端に取付けられた連結バルブ６と、散水停止時に排水を行う戻しバルブ７と、加圧ポンプ８を設けた散水機９と、加圧された水の逆流を止める逆止弁１１と、加圧された水を連結バルブ６から固定パイプ４内に流入させるホース１２とを備えている。
なお、散水機９には水道の蛇口、或いは貯水池等から図示を省略したホースを介して水を吸い込む吸水口１３と、加圧した水を流出させる流出口１４とが設けられている。
【００１８】
図２に示すように、延長パイプ３の外径は固定パイプ４の内径に対し小径に設定され、加圧された水が供給されない場合、想像線で示すように延長パイプ３が固定パイプ４内に収容されるようになっている。そして、固定パイプ４を介して加圧された水が供給されると、水は図２に矢印ａで示すように下方から上方に向けて流れるのであるから、水圧によって延長パイプ３も上方に付勢される。
この結果、延長パイプ３は、想像線で示した位置から実線で示したように上方に、即ち固定パイプ４を延長するように移動し、最大に移動した位置でフランジ状のストッパ２１がパッキン２２に当接した位置で停止する。
【００１９】
パッキン２２は環状に形成され、カバー２３の締め付けによって固定パイプ４の端部に圧接せしめられ、延長パイプ４の外周部にも圧接している。従って、延長パイプ３と固定パイプ４との接続位置において水漏れすることはなく、加圧された水の圧力による延長パイプ３の上下移動、即ち押し上げによる長手方向への延長と、固定パイプ４内への収容が円滑に行われる。
【００２０】
散水装置１により散水を行う場合は、図１に示すように固定スタンド５を使用して固定パイプ４を大地Ｅに対し直立状に固定する。この際、固定スタンド５に設けた３本の脚部２４は、転び防止のため大地Ｅ（土中）に差し込まれる。固定スタンド５は、図３に示すように円環状の保持部２５の外周部に前記脚部２４を取付けるとともに、軸心方向にねじ込み可能な３本の蝶ネジ２６を設けたものである。
この構成によれば、蝶ネジ２６を緩めて保持部２５内に固定スタンド５を挿通し、次いで蝶ネジ２６を締め付けることにより、図１に示したように固定スタンド５を直立させることができる。
【００２１】
固定パイプ５を直立させた状態であっても、散水機９から加圧された水が供給されない場合は、図２を参照して説明したように延長パイプ３が固定パイプ４内に収容されるので、延長パイプ３は図１に示した位置Ｓ１に留まることになる。
この状態で散水機９を駆動すると、逆止弁１１、ホース１２を介して固定パイプ４内に加圧された水が供給され、この水は延長パイプ３から唯一の開口部である散水ノズル２へ向かって流れる。この結果、加圧された水の水勢によって、延長パイプ３が図１に位置Ｓ２に示したように次第に持ち上げられる。
【００２２】
更に、加圧された水を供給し続けると、延長パイプ３は更に押し上げられ、図２を参照して説明したようにストッパ２１がパッキン２２に当接した時点で押し上げ停止になり、散水ノズル２から勢い良く散水される。
図１から明らかなように、初期状態では散水スタンド１の高さは、略固定スタンド４の高さであったが、散水状態では延長パイプ３の長さが加算されたものになり、固定パイプ４が長手方向に伸長したようになる。従って、高所にある目標位置に接近して散水することができる。
【００２３】
なお、散水される水が目標位置からずれた場合は、下記のようにして位置調整することができる。この場合、必要に応じて散水ノズル２の方向（横方向）を調整するか、或いは角度レバー２４によって散水ノズル２を矢印Ｙ１．Ｙ２方向（縦方向）に調整する。前記横方向の調整については、固定スタンド５に設けた蝶ネジ２６を緩め、固定パイプ４と延長パイプ３とを一体に回転して位置決めを行い、その後に蝶ネジ２５を締め付ける方法であってよい。
【００２４】
一方、縦方向の角度調整については、予め大まかに調整しておいてもよいが、散水後に大きく位置ずれしていることが解った場合は、以下のように角度調整する。即ち、散水機９を一時停止すると、散水は停止されるが逆止弁１１の作用によって水が散水機９側に流れることはなく、固定パイプ４及び延長パイプ３内に一定の水圧がかかったままであるから、延長パイプ３は降下しない。
そこで、戻しバルブ７を開き排水させると、延長パイプ３が次第に降下する。そして、角度レバー２４に手が届くまで降下させた後、角度レバー２４を操作して散水ノズル２の角度調整を行う。所望の角度に調整した後、戻しバルブ７を閉じ、散水機９を再駆動すると、元の散水位置まで上昇し、高所から目標位置に向けて集中的に散水するようになる。
【００２５】
このように、散水が開始された後は、作業員は散水装置１に着いている必要はない。従って、危険な工事現場から離れ、しかも他の仕事を行い得るので、危険防止、作業効率向上を図ることができる。
なお、散水が不要になった場合は、散水機９を駆動停止にし、前記のように戻しバルブ７を開いて排水する。この結果、前記のように延長パイプ３が固定パイプ４内に降下して収容され、持ち運びが容易になる。
【００２６】
以上に本発明の第１実施形態を説明したが、散水ノズル２や固定スタンド５は前記構成に限定されるものではなく、種々の変形が可能である。例えば、固定スタンド５については、図４〜図６に示すような種々のものを適用することができる。
【００２７】
図４に示した固定スタンド５は、固定パイプ４を直立状はもとより、傾斜状態に保持し得る構成になっている。
即ち、保持部２５の上縁の例えば２箇所に突状の支持部２７が設けられ、その内側に蝶ネジ２８によってシーソー状に運動可能な可動保持部２９が設けられている。また、可動保持部２９に固定パイプ４を固定する締め付けネジ３１が設けられている。
【００２８】
この構成によれば、蝶ネジ２８を緩めて可動保持部２９を所望角度θに設定し、蝶ネジ２８を締め付けることで可動保持部２９を所望角度に維持できる。そして、可動保持部２９内に固定パイプ４を挿通し、締め付けネジ３１により締め付け固定すれば、固定パイプ４と延長パイプ３とを傾斜状に固定できる。
この固定スタンド５によれば、散水スタンド１の設置位置から横方向に離れた位置に散水することができる上に、散水高さをも調整できる。
【００２９】
散水装置１の設置位置にコンクリート等が施工されている場合は、図５に示すように、脚部２４の下端に円環状の大きな台座３２が設けたものが好ましい。
この構成によれば、脚部２４を土中に差し込むことなく固定パイプ４等を安定に保持できる。なお、台座３２上に必要に応じて重石等をおいて安定化を図ってもよい。
【００３０】
図６に示した固定スタンド５は、保持部２５を構成する筒体の一部を縦長に残し、脚部２４に替えて土中に差し込むように構成したものである。保持部２５に蝶ネジ２６が設けられているので、図１を参照して説明したように、固定パイプ４を直立状に保持できる。
【００３１】
また、散水ノズル２についても、種々の変形が可能である。
例えば、図７に示すように、延長パイプ３の先端に二股の散水ノズル４１を設けてもよく、延長パイプ５の側面に１個、又は複数の散水孔４２を設けてもよい。
【００３２】
更に、図８に示すように、延長パイプ３の先端に円環状に散水孔４３を設けた散水ノズル２を取付けてもよい。この構成によれば、散水装置１を中心として広い範囲に一挙に散水できる。
【００３３】
次に、図９及び図１０を参照して本発明の第２実施形態を説明する。なお、本実施形態は、固定パイプ４及び延長パイプ３を円弧状に形成したものであり、他の構成は前記第１実施形態と同一でよいので、同一の符号を付して説明を省略する。
【００３４】
即ち、固定パイプ４の一部、例えば延長パイプ３が収納される部分について、延長パイプ３と同一半径の円弧状に形成する。延長パイプ３の外径は固定パイプ４の内径に対し小径に形成にされ、最下端に環状のストッパ２１が設けられている。また、固定パイプ４の上端は肉厚に形成され、その内側に環状のシール材５１が埋設され、水漏れを防止できるようになっている。
更に、固定パイプ４の肉厚部分の下端は突部５２に形成され、延長パイプ３が上端まで上昇したときの抜け出しを防止するようになっている。
【００３５】
本実施形態の構成にあっても、前記同様に加圧された水を供給することによって、延長パイプ３が位置Ｓ１、Ｓ２へと上昇し、ストッパ２１が突部５２に当接した時点で上昇停止、即ち延長停止になる。そして、図１０に断面構造を例示した散水ノズル２から目標とする散水位置に向けて散水が行われる。
なお、散水ノズル２の方向調整は前記同様に行うことができ、散水終了後の排水も前記同様に行われる。
【００３６】
本実施形態においても、散水位置を高所に設定することができる。また、図４を参照して説明した固定スタンド５を用いた場合と同様に、散水ノズル２を目標位置に接近させることができる。
【図面の簡単な説明】
【００３７】
【図１】本発明の第1実施形態を示す散水装置の側面図である。
【図２】固定パイプと延長パイプの構成を示す断面図である。
【図３】固定スタンドの構成を示す要部の斜視図である。
【図４】固定スタンドの第１変形例を示す斜視図である。
【図５】固定スタンドの第２変形例を示す斜視図である。
【図６】固定スタンドの第３変形例を示す斜視図である。
【図７】散水ノズルの第１変形例を示す斜視図である。
【図８】散水ノズルの第２変形例を示す斜視図である。
【図９】本発明の第２実施形態を示す散水装置の側面図である。
【図１０】固定パイプと延長パイプの構成を示す斜視図である。
【符号の説明】
【００３８】
１  解体構造物用散水装置
２  散水ノズル
３  延長パイプ
４  固定スタンド
５  固定スタンド
６  連結バルブ
７  戻しバルブ
８  加圧ポンプ
９  散水機
１１  逆止弁
１２  ホース
１３  吸水口
１４  流出口
２１  ストッパ
２２  パッキン
２３  カバー
２４  脚部
２５  保持部
２６  蝶ネジ
【図１】
2005248463.tif 000003
【図２】
2005248463.tif 000004
【図３】
2005248463.tif 000005
【図４】
2005248463.tif 000006
【図５】
2005248463.tif 000007
【図６】
2005248463.tif 000008
【図７】
2005248463.tif 000009
【図８】
2005248463.tif 000010
【図９】
2005248463.tif 000011
【図１０】
2005248463.tif 000012